(57)【要約】【課題】装置本体の上面に操作パネルと原稿セット部とを有し、該装置本体の後面に給紙トレイと給紙口を有するファクシミリ装置において、給紙トレイをファクシミリ装置本体の防塵カバーとしても用いることにより、低コストで確実な防塵機能を有するファクシミリ装置を提供する。【解決手段】ファクシミリ装置は、給紙トレイ１３は、装置本体１０の後面１０１を覆う大きさの下方部１３０と、装置本体１０の上面１００を覆う大きさの上方部１３１とに２分割され、下方部１３０の下端を装置本体１０に回動可能に軸支する第１の回動軸１３２と、下方部１３０と上方部１３１との間を回動可能に軸支する第２の回動軸１３３と、下方部１３０と上方部１３１を同一平面に位置させ装置本体１０から傾いた状態で上方に突出した状態に保持するストッパー１３４と、を備え、前記第１の回動軸１３２により前記給紙トレイ１３を装置本体１０に軸支してなる。【選択図】図１
2007318523.tif 000002
【特許請求の範囲】
【請求項１】
装置本体の上面に操作パネルと原稿セット部とを有し、該装置本体の後面に給紙トレイと給紙口を有するファクシミリ装置において、
前記後面を覆う大きさの下方部と前記上面を覆う大きさの上方部とに２分割されて形成された前記給紙トレイと、
前記下方部の下端を前記給紙口の下側において前記装置本体に回動可能に軸支する第１の回動軸と、
前記下方部と前記上方部との間を回動可能に軸支する第２の回動軸と、
前記下方部と上方部を同一平面に位置させ、前記装置本体から傾いた状態で上方に突出した状態に保持するストッパーと、を備え、
前記第１の回動軸により前記給紙トレイを装置本体に軸支してなることを特徴とするファクシミリ装置。
【請求項２】
前記上方部は、前記操作パネルの表示部に対向する位置に透明窓を有することを特徴とする請求項１に記載のファクシミリ装置。
【請求項３】
前記下方部の側縁に設けられた用紙ガイド用突起と、前記装置本体に設けられた前記用紙ガイド用突起が嵌合する凹部とを有すること特徴とする請求項１又は請求項2に記載のファクシミリ装置。
【発明の詳細な説明】
【技術分野】
【０００１】
本発明は、装置本体の上面に操作パネルと原稿セット部とを有し、該装置本体の後面に給紙トレイと給紙口を有するファクシミリ装置において、防塵対策を施したファクシミリ装置に関するものであり、特に、ファクシミリ装置の本体の後面（背面部）に設ける給紙トレイを２分割構造として、ファクシミリの送受信機能を用いない時に、前記給紙トレイを折り畳み装置本体の操作パネル面を覆うようにしたファクシミリ装置に関するものである。
【背景技術】
【０００２】
従来の家庭用ファクシミリ装置としては種々のコンパクトな構造の装置が提供されている。例えば、下記の特許文献１（特開２００１−１１９５０７号公報）に開示されたファクシミリ装置がある。この特許文献1に開示された従来のファクシミリ装置は、上面部にパネル部を有する開閉カバーを備え、後面部に給紙トレイを備えている。
【０００３】
パネル部はダイヤルキー、操作案内ボタン、コピーボタン、留守番ボタン、表示部等が設けられている。開閉カバーは、回動軸によって本体に対して回動自在に取り付けられ、回動軸を軸として先端が上下に本体から離れるようになっている。そして、開閉カバーは、開いた上体でファクシミリ装置内部のメンテナンス等が行えるようにしている。開閉カバーを閉じた状態ではラッチ部によってその状態が保持されている。この開閉カバーが閉じられ保持された状態でパネル部上のボタン、キーなどを操作しＦＡＸ機能を達成するようになっている。
【特許文献１】特開２００１−１１９５０７号公報（段落［００２１］〜段落［００３３］、段落［００４９］〜段落［００５２］）
【発明の開示】
【発明が解決しようとする課題】
【０００４】
しかしながら、上述した従来技術のファクシミリ装置においては、上方を向いたパネル部が常に露出しているため、塵埃の付着、ボタン、キー等の隙間からの塵埃の進入を防止することができなかった。そこで、防塵カバーを用いることも考えられているが、本体から大きく突出している給紙トレイをも同時に覆うことになり、大きな防塵カバーを必要とするために実用化されていない。
【０００５】
本願の発明者は上記の問題点を解消すべく種々検討を重ねた結果、ファクシミリ装置の本体の後面（背面部）に設ける給紙トレイを２分割構造として、ファクシミリの送受信機能を用いない時に、前記給紙トレイを折り畳み装置本体の操作パネル面を覆うようになせば、上記の問題点を解消し得ることに想到して、本発明を完成するに至ったものである。
【０００６】
すなわち、本発明は上記の問題点を解消することを課題とし、給紙トレイをファクシミリ装置本体の防塵カバーとしても用いることにより、低コストで確実な防塵機能を有するファクシミリ装置を提供することを目的とするものである。
【課題を解決するための手段】
【０００７】
前記課題を解決するために、本願の請求項１にかかる発明は、
装置本体の上面に操作パネルと原稿セット部とを有し、該装置本体の後面に給紙トレイと給紙口を有するファクシミリ装置において、
前記後面を覆う大きさの下方部と前記上面を覆う大きさの上方部とに２分割されて形成された前記給紙トレイと、
前記下方部の下端を前記給紙口の下側において前記装置本体に回動可能に軸支する第１の回動軸と、
前記下方部と前記上方部との間を回動可能に軸支する第２の回動軸と、
前記下方部と上方部を同一平面に位置させ、前記装置本体から傾いた状態で上方に突出した状態に保持するストッパーと、を備え、
前記第１の回動軸により前記給紙トレイを装置本体に軸支してなることを特徴とする。
【０００８】
また、本願の請求項２にかかる発明は、請求項１にかかるファクシミリ装置において、前記上方部は、前記操作パネルの表示部に対向する位置に透明窓を有することを特徴とする。
【０００９】
また、本願の請求項３にかかる発明は、請求項１又は請求項２にかかるファクシミリ装置において、前記下方部の側縁に設けられた用紙ガイド用突起と、前記装置本体に設けられた前記用紙ガイド用突起が嵌合する凹部とを有すること特徴とする。
【発明の効果】
【００１０】
本発明は、上述した解決手段により以下に述べるとおりの優れた効果を奏する。
【００１１】
即ち、本願の請求項１にかかる発明のファクシミリ装置においては、装置本体の上面に操作パネルと原稿セット部とを有し、該装置本体の後面に給紙トレイと給紙口を有するファクシミリ装置において、前記後面を覆う大きさの下方部と前記上面を覆う大きさの上方部とに２分割されて形成された前記給紙トレイと、前記下方部の下端を前記給紙口の下側において前記装置本体に回動可能に軸支する第１の回動軸と、前記下方部と前記上方部との間を回動可能に軸支する第２の回動軸と、前記下方部と上方部を同一平面に位置させ、前記装置本体から傾いた状態で上方に突出した状態に保持するストッパーと、を備え、前記第１の回動軸により前記給紙トレイを装置本体に軸支した。
【００１２】
このような構成によれば、２分割された前記給紙トレイの下方部が第１の回動軸によって回動して前記後面を覆い、上方部が第２の回動軸によって回動して前記上面を覆うことができるので、給紙トレイを使用しないときには、防塵のためのカバーとすることができる。そのため、請求項１の発明は専用のカバーを用意する必要がなく低コストで防塵効果を得ることができる。また、装置本体には突出する給紙トレイがなくなり全体的にコンパクトになる。
【００１３】
また、請求項１の発明においては、ファクシミリ機能を使用するため給紙を行うときには、前記下方部と上方部とを前記装置本体の後方に回動させることができる。この回動動作は前記ストッパーによって停止され、下方部と上方部とが同一平面になって傾いた状態で前記装置本体から突出して保持され、用紙を装填できる状態に変更できる。そのため、給紙を必要とするときには、下方部と上方部とを回動させるだけの簡単な操作で給紙トレイを形成することができる。
【００１４】
また、本願の請求項２にかかる発明においては、請求項１にかかるファクシミリ装置によれば、前記給紙トレイの上方部で前記上面を覆って防塵用カバーとして用いているときに、前記透明窓を通して表示部の表示状態を監視することができる。従って、請求項２の発明によれば給紙トレイの使用以外の際の表示状態がカバーをした状態であっても監視できるようになる。
【００１５】
また、本願の請求項３にかかる発明においては、請求項１又は請求項２にかかるファクシミリ装置において、前記下方部が前記後部を覆うように回動されたときに、前記下方部に設けられた前記用紙ガイド用突起は前記装置本体に設けられた凹部に嵌合する。そのため、前記下方部は前記後面に密着して確実な防塵効果を奏することができる。
【発明を実施するための最良の形態】
【００１６】
以下、本発明の具体例を実施例及び図面を用いて詳細に説明する。但し、以下に示す実施例は、本発明の技術思想を具体化するためのファクシミリ装置を例示するものであって、本発明をこのファクシミリ装置に特定することを意図するものではなく、特許請求の範囲に含まれるその他の実施形態のファクシミリ装置にも等しく適用し得るものである。
【実施例】
【００１７】
以下、本発明の実施例について図面を参照して説明する。図１は実施例におけるファクシミリ装置のＦＡＸとしての使用状態を示す斜視図、図２は実施例におけるファクシミリ装置にカバーを施した状態を示す斜視図、図３は図２におけるファクシミリ装置の側面図である。
ファクシミリ装置１は、画像読取り機構、紙送り機構、印刷機構、回路基板等を内蔵した装置本体１０と、装置本体１０の上面１００に設けた操作パネル部１１と、装置本体１０の上面１００の後方寄りに設けた原稿セット部１２と、装置本体１０の傾斜した後面１０１に設けた給紙トレイ１３と、装置本体１０の前面１０２に設けた原稿排出口１４と、装置本体１０に接続されたハンドセット１５と、ハンドセット１５を不使用時に載置しておくための装置本体１０の側方前面に設けたハンドセット用載置部１６とから形成されている。また、後面１０１には、給紙口１７と、給紙口１７の上方に隣接して原稿排出口（図示せず）が設けられている。
【００１８】
給紙トレイ１３は、後面１０１を覆う大きさの下方部１３０と上面１００を覆う上方部１３１とに２分割されている。下方部１３０は、後面１０１に形成された給紙口１７の下側において下端が第１の回動軸１３２で回動可能に軸支されている。また、下方部１３０と上方部１３１との間は回動可能に第２の回動軸１３３によって軸支され、２つ折になるように連結されている。
【００１９】
給紙トレイ１３は、下方部１３０と上方部１３１とが同一平面状になっているときは装置本体１０から離れて後方に傾き、用紙（図示せず）が装填可能になっている。そして、この状態が保持されるために、第１の回動軸１３２、第２の回動軸１３３部分にはストッパー１３４が設けられている。
【００２０】
上方部１３１には、操作パネル部１１の液晶パネルからなる表示部１１０、留守録表示用ＬＥＤを有する留守録用ボタン１１１に対向した位置に透明窓１３５が設けられている。また、上方部１３１の上縁中央には摘み１３６が設けられている。下方部分１３０の両側縁には、用紙ガイド用突起１３７が設けられている。この用紙ガイド用突起１３７に対向する装置本体１０には、用紙ガイド用突起１３７が嵌合する凹部１３８が設けられている。
【００２１】
上述した本発明の実施例によるファクシミリ装置の動作を説明する。ＦＡＸの使用の際は、図１に示すように、下方部１３０と上方部１３１を夫々第１の回動軸１３２、第２の回動軸１３３を中心として装置本体１０から離れるように後方に回動させる。下方部１３０はストッパー１３４によって停止されるまで回動して装置本体１０に対し後方に傾いた状態で保持される。上方部１３１は同じくストッパー１３４によって停止されるまで回動して下方部１３０と同一平面に位置された状態で保持される。
【００２２】
この状態において、装置本体１０の後方に給紙トレイ１３が形成される。そして、給紙トレイ１３には用紙を用紙ガイド用突起１３７によってガイドして装填することができる。
【００２３】
ＦＡＸの受信の際は、ＦＡＸ信号が受信されると給紙トレイ１３に装填されている用紙が給紙口１７を介して装置本体１０内に送られ、印刷されて用紙排出口から排出される。ＦＡＸの送信の際は、原稿を原稿セット部１２にセットし、操作パネル１１を操作してＦＡＸ送信モードに設定し送信先の電話番号を入力する。原稿は装置本体１０内に送られ原稿の読取りがなされてから原稿排出口１４より排出される。
【００２４】
電話による通話の場合は、ハンドセット１５を用いることにより送受信が可能となる。また、子機を有する場合は、子機を使用して通話を行うことができる。
【００２５】
次に、図２、図３で示すように、ファクシミリ装置１を使用しない場合について説明する。すなわち、ファクシミリ機能を使用しない場合、下方部１３０を第１の回動軸１３２により装置本体１０方向に回動させる。この回動によって、用紙ガイド用突起１３７は凹部１３８内に嵌合する。そして、下方部１３０は後面１０１に密着しこれを覆う。更に、上方部１３１は第２の回動軸１３３により下方部１３０に対して前方に回動させ装置本体１０の上面１００を覆う。
【００２６】
ファクシミリ装置１は、ハンドセット１５を用いて電話機能を達成するようになっているだけでなく、子機を備えていることが一般的である。そこで、ＦＡＸとして用いずもっぱら子機による通話として活用する場合がある。この場合は、装置本体１０を下方部１３０と上方部１３１とによって覆っておく。この場合、装置本体１０側においては、表示部１１０、留守録用ボタン１１１が上方部１３１で覆われていても透明窓１３５を通じて視認可能となる。従って、子機による使用状況がファクシミリ装置１の装置本体１０側において監視することができる。
【００２７】
上述した本発明の実施例によれば、ファクシミリ装置１において２分割された給紙トレイ１３の下方部１３０が第１の回動軸１３２によって前方に回動して後面１０１を覆い、上方部１３１が第２の回動軸１３３によって回動して上面１００を覆うことができるので、給紙トレイ１３を使用しないときには、防塵のためのカバーとすることができる。
【００２８】
そして、下方部１３０が後部１０１を覆うように回動されたときに、下方部１３０に設けられた用紙ガイド用突起１３７は装置本体１０に設けられた凹部１３８に嵌合する。そのため、下方部１３０は後面１０１に密着して防塵効果を確実なものとする。また、上方部１３１で上面１００を覆って防塵用カバーとして用いているときに、透明窓１３５を通して表示部１１０、留守録用ボタン１１１の表示状態を監視することができる。そのため、子機による電話として用いているときに、装置本体１側においても表示部分を直接に監視することにより子機の使用状態を把握できる。
【００２９】
一方、給紙を行うときには、下方部１３０と上方部１３１とを装置本体１０の後方に回動させる。この回動動作はストッパー１３４によって停止され、下方部１３０と上方部１３１とが同一平面になって傾いて装置本体１０から突出して保持され、用紙を装填できる状態に変更できる。
【００３０】
尚、本発明の実施例においては、上方部１３１に透明窓１３５を設けて表示部１１０、留守録用ボタン１１１を視認可能にしたが、本発明においてはこれに限定されることなく上方部１３１の全面を透明にして操作パネル部１１全体を視認可能にしてもよい。また、透明窓１３５は、表示部１１０、留守録用ボタン１１１以外のボタン等に対向する位置に設けてもよく、表示部１１０にのみ対向する位置に設けるようにしてもよい。
【００３１】
尚、また、本発明の実施例においては、原稿排出口１４を前面１０２に設け、用紙排出口を後面１０１に設けたが、本発明はこれに限定されることなく必要に応じて他の面に設けるようにしてもよい。
【図面の簡単な説明】
【００３２】
【図１】本発明の実施例におけるファクシミリ装置のＦＡＸとしての使用状態を示す斜視図である。
【図２】本発明の実施例におけるファクシミリ装置のカバーをした状態を示す斜視図である。
【図３】本発明の図２におけるファクシミリ装置の側面図である。
【符号の説明】
【００３３】
１・・・・・・ファクシミリ装置
１０・・・・・装置本体
１１・・・・操作パネル部
１２・・・・原稿セット部
１３・・・・給紙トレイ
１４・・・・原稿排出口
１５・・・・ハンドセット
１６・・・・ハンドセット用搭載置部
１７・・・・給紙口
１００・・・上面
１０１・・・後面
１０２・・・前面
１１０・・・表示部
１１１・・・留守録用ボタン
１３０・・・下方部
１３１・・・上方部
１３２・・・第１の回動軸
１３３・・・第２の回動軸
１３４・・・ストッパー
１３５・・・透明窓
１３６・・・摘み
１３７・・・用紙ガイド用突起
１３８・・・凹部
【図１】
2007318523.tif 000003
【図２】
2007318523.tif 000004
【図３】
2007318523.tif 000005